(57)【要約】      （修正有）【課題】作業者に危険が及ぶことなく、伸縮自在の素材で作製した首輪を簡便に小動物に取付けることができる個体識別タグ取付具を提供する。【解決手段】握り部と３本以上の棒状部材３とからなる。握り部は、弾性板をＵ字状に折曲したものであり、折曲部を挟み前側部材２ａと後側部材２ｂとが対向し、前側部材２ａに３つ以上の孔部４を設ける。棒状部材３は、直線状に延びていて、基端部３ａを後側部材２ｂの内側に固着すると共に、先端部を孔部４に遊嵌し、孔部４から外側に出ている部分を、孔部４が形作る図形の中心部に向け折曲し、さらに折曲した棒状部材３の先端を外側に向け折曲し、さらに孔部４間の距離を棒状部材の基端部３ａ間の距離よりも大にする。【選択図】図５
0003185706.tif 000002
【実用新案登録請求の範囲】
【請求項１】
握り部と３本以上の棒状部材とからなり、
前記握り部は、弾性板をＵ字状に折曲したものであり、折曲部を挟み前側部材と後側部材とが対向し、前側部材に３つ以上の孔部を設け、
前記棒状部材は、直線状に延びていて、基端部を握り部の後側部材の内側に固着すると共に、先端部を孔部に遊嵌し、
前記孔部間の距離を棒状部材の基端部間の距離より大にしたことを特徴とする実験用小動物の個体識別タグ取付具。
【請求項２】
握り部と３本以上の棒状部材とからなり、
前記握り部は、先端に３つ以上の孔部を設けた前側部材と、この前側部材と別体の後側部材とを対向して配置し、前側部材の基端部と後側部材の基端部とを回動自在に連結し、この連結した部分よりも先端側にバネを介在してなり、
前記棒状部材は、直線状に延びていて、基端部を握り部の後側部材の内側に固着し、先端部を孔部に遊嵌し、
前記孔部間の距離を棒状部材の基端部間の距離よりも大にしたことを特徴とする実験用小動物の個体識別タグ取付具。
【請求項３】
前記棒状部材は、孔部から外側に出ている部分を、孔部が形作る図形の中心部に向け折曲し、さらに折曲した棒状部材の先端を外側に向け折曲してなることを特徴とする請求項１又は請求項２に記載の実験用小動物の個体識別タグ取付具。
【請求項４】
前記棒状部材が３〜６本であることを特徴とする請求項１乃至請求項３のいずれかに記載の実験用小動物の個体識別タグ取付具。
【請求項５】
前記棒状部材は、握り部材の端部間に挟まれた部分の所定位置にストッパを形成し、握り部の可動範囲を制限することを特徴とする請求項１乃至請求項４のいずれかに記載の実験用小動物の個体識別タグ取付具。
【考案の詳細な説明】
【技術分野】
【０００１】
本考案は、マウスやラットなどの実験用小動物に首輪状の個体識別タグを取付ける取付具に関する。
【背景技術】
【０００２】
マウスやラットなどの実験用小動物を管理する個体識別用のタグとして、軟質樹脂製のシートに後足と尻尾に差し込むための取付孔を設けたものがある（特許文献１）。
耳にパンチして固定する方式の個体識別用タグと比較し、実験用小動物を傷付けないという利点がある。
しかし、後足や尻尾を動かさないよう実験用小動物をおとなしくさせて取付ける等、取付け作業に困難を要する。
本考案者らは、これを改善するために伸縮自在の素材で作製した多様な色の首輪を用意し個体識別タグとして利用することを考えたが、この個体識別タグを作業者が直接手で取付けると、頭部に手が近付くので、実験用小動物に噛まれるおそれがある。
【先行技術文献】
【特許文献】
【０００３】
【特許文献１】特開２００７-２５２３５６号公報
【考案の概要】
【考案が解決しようとする課題】
【０００４】
本考案の課題は、作業者に危険が及ぶことなく、伸縮自在の素材で作製した首輪を簡便に実験用小動物に取付けることができる個体識別タグ取付具を提供することである。
【課題を解決するための手段】
【０００５】
請求項１記載の考案は、握り部と３本以上の棒状部材とからなる。前記握り部は、弾性板をＵ字状に折曲したものであり、折曲部を挟み前側部材と後側部材とが対向し、前側部材に３つ以上の孔部を設ける。前記棒状部材は、直線状に延びていて、基端部を握り部の後側部材の内側に固着すると共に、先端部を孔部に遊嵌する。しかして、前記孔部間の距離を棒状部材の基端部間の距離より大にしたことを特徴とする。
【０００６】
請求項２記載の考案は、握り部と３本以上の棒状部材とからなる。前記握り部は、弾性板をＵ字状に折曲したものであり、折曲部を挟み前側部材と後側部材とが対向し、前側部材に３つ以上の孔部を設ける。前記棒状部材は、直線状に延びていて、基端部を握り部の後側部材の内側に固着すると共に、先端部を孔部に遊嵌する。しかして、前記孔部間の距離を棒状部材の基端部間の距離より大にしたことを特徴とする。
【０００７】
請求項３記載の考案は、前記請求項１又は２に記載の棒状部材が、孔部から外側に出ている部分を、孔部が形作る図形の中心部に向け折曲し、さらに折曲した棒状部材の先端を外側に向け折曲してなることを特徴とする。
【０００８】
請求項４記載の考案は、前記請求項１〜３に記載の棒状部材が３〜６本であることを特徴とする。
【０００９】
請求項５記載の考案は、前記請求項１〜４に記載の棒状部材は、握り部材の端部間に挟まれた部分の所定位置にストッパを形成し、握り部の可動範囲を制限することを特徴とする。
【考案の効果】
【００１０】
請求項１記載の考案は、握り部と３本以上の棒状部材とからなり、前記握り部は、弾性板をＵ字状に折曲したものであるので、製造が容易である。
また、握り部は、折曲部を挟み前側部材と後側部材とが対向し、前側部材に３つ以上の孔部を設け、棒状部材は、直線状に延びていて、基端部を握り部の後側部材の内側に固着すると共に、先端部を孔部に遊嵌し、前記孔部間の距離を棒状部材の基端部間の距離より大にするので、作業者は棒状部材の先端に首輪を掛けて、握り部を握ると首輪が広がり、この状態のままで首輪を実験用小動物の頭部から通し、首部に来たら握り部を広げながら棒状部材を実験用小動物の頭部から引き抜くと、実験用小動物の首部に首輪を危険なく簡便に取付けることができる。
【００１１】
請求項２記載の考案は、前記請求項１記載の考案と同様実験用小動物の首部に首輪を危険なく簡便に取付けることができる。また、握り部を構成する弾性板を耐久性の点から厚くしても、これと無関係にバネの付勢力を選定できるので、無駄な力を要さずに容易に開閉できる。
【００１２】
請求項３記載の考案は、棒状部材の孔部から外側に出ている部分を、孔部が形作る図形の中心部に向け折曲し、折曲した棒状部材の先端を外側に向け折曲してなるので、先端から数えて２番目の折曲部が握り部の拡開を止めて無闇に広がることを防止する。また、先端から数えて１番目の折曲部を首輪取付部にでき、首輪の取り付け位置を明確化できる。
【００１３】
請求項４記載の考案は、棒状部材が３〜６本であるので、前記請求項１，２の効果に加え、実験用小動物へ首輪を装着し易い上に、製造が容易であるという効果を生じる。
【００１４】
請求項５記載の考案は、棒状部材は、握り部材の端部間に挟まれた部分の所定位置にストッパを形成し、握り部の可動範囲を制限するので、握り部を強く握り過ぎても前側部材と後側部材とが所定以上に近接せず、握り部が破損しない。
【図面の簡単な説明】
【００１５】
【図１】本考案の第１実施形態の実験用小動物の個体識別タグ取付具の側面図であり、棒状部材の先端部を縮径した状態を示す。
【図２】本考案の第１実施形態の実験用小動物の個体識別タグ取付具の側面図であり、棒状部材の先端部を拡径した状態を示す。
【図３】本考案の第２実施形態の実験用小動物の個体識別タグ取付具の側面図であり、棒状部材の先端部を縮径した状態を示す。
【図４】本考案の第２実施形態の実験用小動物の個体識別タグ取付具の側面図であり、棒状部材の先端部を拡径した状態を示す。
【図５】第２実施形態の実験用小動物の個体識別タグ取付具の斜視図であり、棒状部材の先端部を縮径した状態を示す。
【図６】第２実施形態の実験用小動物の個体識別タグ取付具の要部の断面図である。
【図７】実験用小動物に首輪を装着した状態の図である。
【図８】本考案の第３実施形態の実験用小動物の個体識別タグ取付具の側面図であり、棒状部材の先端部を拡径した状態を示す。
【図９】第３実施形態の実験用小動物の個体識別タグ取付具の背面図である。
【図１０】第４実施形態の実験用小動物の個体識別タグ取付具の要部の断面図である。
【考案を実施するための形態】
【００１６】
本考案の第１実施形態について以下図面と共に説明する。
図１、図２は第１実施形態の実験用小動物の個体識別タグ取付具の棒状部材の側面図であり、図１は先端部を縮径した状態、図２は棒状部材の先端部を拡径した状態を示す。
１は実験用小動物の個体識別タグ取付具であり、弾性板（好ましくは、ばね鋼板）をＵ字状に折曲してなる握り部２と、この握り部２に固着した４本の棒状部材３とからなる。
握り部２は、折曲部を挟み前側部材２ａと後側部材２ｂが対向する。
４本の棒状部材３は、弾力を有する材料で形成し、その基端部３ａを４角形状に配置して、握り部２の後側部材２ｂの内側に固着すると共に、先端部分を握り部２の前側部材２ａに設けた４つの孔部４に、それぞれ遊嵌する。
孔部４と棒状部材３は、孔部４の径が棒状部材３の断面より大であればよく、形状は公知のいずれであってもよい。ただし、孔部４と棒状部材３の断面を、共に円または楕円にすると握り部材の拡縮を円滑に行うことができる。
また、孔部４間の距離ｄ２を、棒状部材の基端部３ａ間の距離ｄ１の数倍程度にする。例えば、握り部２を拡開した状態（＝握り部が最も広がった状態）で、後側部材２ａと前側部材２ｂの距離を１０ｃｍにしたとき、基端部３ａ間の距離ｄ１を５ｍｍにし、孔部４間の距離ｄ２を１６ｍｍにする。
首輪５は、ゴムなどの伸縮自在の材料で製造した円環状のものである。この首輪５に着色し、色が異なるものを多種用意する。首輪５の径は、実験用小動物６の首部の太さと略同じにして、実験用小動物６の首部を締め付けず、しかも脱落し難くする。
【００１７】
使用する際には、まず作業者が、握り部２を拡開したままで棒状部材３の先端に首輪５を取付ける。
次に、握り部２を握って狭める（前側部材２ａと後側部材２ｂを近接させる）と、棒状部材の先端が拡径し、同時に首輪５も拡径する。
この状態で首輪５を、実験用小動物６の頭部から通し、首部まで来たら握り部２を広げながら（前側部材２ａと後側部材２ｂを離しながら）、ゆっくりと棒状部材３を実験用小動物６の頭部から引き抜くと、首輪５が実験用小動物６の首部に固定される（図５参照）。
【００１８】
次に、本考案の第２実施形態について以下図面と共に説明する。
図３、図４は第２実施形態の実験用小動物の個体識別タグ取付具の棒状部材の側面図であり、図３は先端部を縮径した状態、図４は棒状部材の先端部を拡径した状態を示す。図５は第２実施形態の実験用小動物の個体識別タグ取付具の斜視図であり、棒状部材の先端部を縮径した状態を示す。図６は第２実施形態の実験用小動物の個体識別タグ取付具の要部の断面図である。
前記実施形態との違いは、棒状部材３の先端部分を折曲したことである。
すなわち、４本の棒状部材３は、先端部分を握り部２の前側部材２ａに設けた４つの孔部４に、それぞれ遊嵌する。そして、握り部２が拡開した状態で、上側に配置された２本の棒状部材３が、握り部２の外側に出た部分を折曲部３ｂとし、下側に配置された２本の棒状部材３はこれと対応する部分を折曲部３ｂとする。そして、これら折曲部３ｂの握り部に近い部分を孔部４が形成する４角形の中心に向け夫々折曲し（先端から数えて２番目の角部を形成し）、さらに先端部分を孔部４が構成する４角形から起立する方向に折曲する（先端から数えて１番目の角部を形成する）。
先端から数えて１番目の角部を首輪取付部３ｃとし、先端から数えて２番目の角部を脱落防止部３ｄとする。そして、首輪取付部３ｃが形成する４角形の対角線の長さを、首輪５の直径以下にする。
【００１９】
使用する際には、まず作業者が、握り部２を拡開したままで首輪取付部３ｃに首輪５を取付ける。
次に、握り部２を握って狭める（前側部材２ａと後側部材２ｂを近接させる）と、棒状部材の折曲部３ｂの先端が拡径し、同時に首輪５も拡径する。
この状態で首輪５を、実験用小動物６の頭部から通し首部まで来たら握り部２を広げながら（前側部材２ａと後側部材２ｂを離しながら）、ゆっくりと棒状部材３を実験用小動物６の頭部から引き抜くと、首輪５が実験用小動物６の首部に固定される（図５参照）。
この実施形態の実験用小動物の個体識別タグ取付具１は、脱落防止部３ｄにより握り部の拡開が制限され、棒状部材３の先端が握り部２より脱落することを防止できる。また、首輪取付部３ｃにより首輪５の取り付け位置を明確化できるという利点がある。
【００２０】
次に、本考案の第３実施形態について以下図面と共に説明する。
図７は第３実施形態の実験用小動物の個体識別タグ取付具の棒状部材の先端部を拡径した状態の側面図、図８は第３実施形態の実験用小動物の個体識別タグ取付具の背面図である。
実験用小動物の個体識別タグ取付具１は、握り部２と、この握り部２に固着した４本の棒状部材３とからなる。
握り部２は、縦長で板状の前側部材７と、下部に逆Ｕ字状の溝８ａを有する縦長で板状の後側部材８とからなり、前側部材の基端部７ａを、この逆Ｕ字状の溝８ａ内に入れて、溝の両端に起立する突出部８ｂと前側部材の基端部７ａに回動軸９を通して、前側部材７と後側部材８とを回動自在に連結する。
さらに、回動軸９より上部に位置する前側部材７と後側部材８との間に、バネ１０を介在させ、このバネ１０により作業者が握らない状態では前側部材７と後側部材８とが拡開した状態になるよう付勢する。
前記各実施形態と同様に、４本の棒状部材３の基端部３ａを４角形状に配置して、握り部２の後側部材８の先端部の内側に固着する。
棒状部材３は、先端部分を握り部２の前側部材７に設けた４つの孔部４にそれぞれ挿通する。そして、握り部２が拡開した状態で、上側に配置された２本の棒状部材３が、握り部２の外側に出た部分を折曲部３ｂとし、下側に配置された２本の棒状部材３はこれと対応する部分を折曲部３ｂとする。そしてこれら折曲部３ｂの握り部に近い部分を孔部４が形成する４角形の中心に向け夫々折曲し、さらに先端部分を孔部４が構成する４角形から起立する方向に折曲する。
先端から数えて１番目の角部を首輪取付部３ｃとし、先端から数えて２番目の角部を脱落防止部３ｄとする。そして、首輪取付部３ｃが形成する４角形の対角線の長さを、首輪５の直径以下にする。
孔部４は、形状が棒状部材３の断面と同じで、径が棒状部材３の断面より大である。また、孔部４間の距離ｄ２を、棒状部材の基端部３ａ間の距離ｄ１の数倍程度にする。
使用方法は前記第２実施形態と同じである。
【００２１】
次に、本考案の第４実施形態について以下図面と共に説明する。
この実施形態は、棒状部材３にストッパ１１を設けた点が前記第１実施形態との違いである。
すなわち、棒状部材３の握り部２の前側部材２ａと後側部材２ｂに挟まれた部分の所定位置に孔部４の径より大なストッパ１１を固定する（図８参照）。
このように構成すると、握り部２を強く握り過ぎても前側部材２ａと後側部材２ｂとが所定以上に近接せず、握り部２が破損しない。
【００２２】
以上の各実施形態では棒状部材３を４本設けているが、本考案はこれに限るものではなく、棒状部材３を３本以上設け、孔部４をこれと同数設けてもよい。
ただし、実験用小動物６への装着のし易さ、製造コストの安さから、棒状部材３は３〜６本がよい。
【符号の説明】
【００２３】
１  実験用小動物の個体識別タグ取付具
２  握り部
２ａ，７  前側部材
２ｂ，８  後側部材
３  棒状部材
４  孔部
５  首輪
６  実験用小動物
【図１】
0003185706.tif 000003
【図２】
0003185706.tif 000004
【図３】
0003185706.tif 000005
【図４】
0003185706.tif 000006
【図５】
0003185706.tif 000007
【図６】
0003185706.tif 000008
【図７】
0003185706.tif 000009
【図８】
0003185706.tif 000010
【図９】
0003185706.tif 000011
【図１０】
0003185706.tif 000012